(57)【要約】【課題】受信チャネルを利用できる放送チャネルに煩雑さなく切り替えられる「ラジオ放送受信装置」を提供する。【解決手段】CH480を受信しているときに（ａ）、利用可能でないチャネル番号CH610に対応するチューンバー２２上の位置のタッチが発生したら、マーカ２２２の位置をタッチされたCH610に対応する位置に移動すると共に、そのチャネル番号の放送チャネルが利用できない放送チャネルであることを通知する（ｂ）。その後、所定期間が経過する前に、チューンバー２２上のマーカ２２２より左の位置のタッチが発生したならば（ｃ）、利用可能なチャネルのうちの、マーカ２２２の位置に対応するチャネル番号CH610未満の最大のチャネル番号CH600を持つチャネルの受信と音声の出力を開始し、マーカ２２２の位置をCH600に対応する位置に移動する（ｄ）。【選択図】図２
2019087930.tif 000002
【特許請求の範囲】
【請求項１】
オーディオ放送を行う放送チャネルであって、チャネル番号によって識別される放送チャネルを受信するラジオ放送受信装置であって、
ディスプレイと、
受信チャネル番号として設定されたチャネル番号の放送チャネルで行われているオーディオ放送を受信し、受信したオーディオ放送の音声を出力するオーディオ放送受信出力手段と、
第１端と第２端を連結する形状を有する表示オブジェクトであって、当該表示オブジェクト上の各位置が、各チャネル番号に、当該位置が前記第１端からより離れているほどより大きなチャネル番号に対応するように対応づけられた表示オブジェクトを前記ディスプレイに表示し、表示した表示オブジェクト上のユーザによって指定された位置に対応するチャネル番号の入力を受け付けるチャネル番号入力受付手段と、
受信チャネル切替手段とを有し、
当該受信チャネル切替手段は、
前記チャネル番号入力受付手段が、当該ラジオ放送受信装置で利用可能な放送チャネルである利用可能チャネルのチャネル番号の入力を受け付けた場合に、当該チャネル番号を前記受信チャネル番号として設定し、
前記チャネル番号入力受付手段が、前記利用可能チャネルのチャネル番号でないチャネル番号の入力を受け付けた場合に、その後所定期間が経過する前に、ユーザからの増加方向と減少方向とのうちの一方の方向の指示操作を受け付け、増加方向の指示操作を受け付けた場合には、前記利用可能チャネルのチャネル番号のうちの、前記入力を受け付けたチャネル番号超の最小のチャネル番号を前記受信チャネル番号として設定し、減少方向の指示操作を受け付けた場合には、前記利用可能チャネルのチャネル番号のうちの、前記入力を受け付けたチャネル番号未満の最大のチャネル番号を前記受信チャネル番号として設定することを特徴とするラジオ放送受信装置。
【請求項２】
請求項１記載のラジオ放送受信装置であって、
前記受信チャネル切替手段は、
前記所定期間が経過する前に、増加方向の指示操作をｎ（但し、ｎは２以上の整数）回受け付けた場合に、前記入力を受け付けたチャネル番号超の前記利用可能チャネルのチャネル番号のうちの、前記入力を受け付けたチャネル番号にｎ番目に近いチャネル番号を前記受信チャネル番号として設定し、前記所定期間経過する前に、減少方向の指示操作をｎ（但し、ｎは２以上の整数）回受け付けた場合に、前記入力を受け付けたチャネル番号未満の前記利用可能チャネルのチャネル番号のうちの、前記入力を受け付けたチャネル番号にｎ番目に近いチャネル番号を前記受信チャネル番号として設定することを特徴とするラジオ放送受信装置。
【請求項３】
請求項１または２記載のラジオ放送受信装置であって、
前記チャネル番号入力受付手段は、前記表示オブジェクト上の、受信チャネルに設定されているチャネル番号に対応する位置にマーカを表示し、
前記受信チャネル切替手段は、前記チャネル番号入力受付手段が、前記利用可能チャネルのチャネル番号でないチャネル番号の入力を受け付けた場合に、前記表示オブジェクト上の、当該入力を受け付けたチャネル番号に対応する位置にマーカを移動すると共に、前記表示オブジェクト上の前記マーカより前記第１端側の位置の指定を前記減少方向の指示操作として受け付け、前記表示オブジェクト上の前記マーカより前記第２端側の位置の指定を前記増加方向の指示操作として受け付けることを特徴とするラジオ放送受信装置。
【請求項４】
請求項１または２記載のラジオ放送受信装置であって、
前記受信チャネル切替手段は、前記チャネル番号入力受付手段が、前記利用可能チャネルのチャネル番号でないチャネル番号の入力を受け付けた場合に、前記減少方向の指示操作受付用の第１のボタンと、前記増加方向の指示操作受付用の第２のボタンとを前記ディスプレイに表示し、前記第１のボタンの操作を前記減少方向の指示操作として受け付け、前記第２のボタンの操作を前記増加方向の指示操作として受け付けることを特徴とするラジオ放送受信装置。
【請求項５】
請求項１、２、３または４記載のラジオ放送受信装置であって、
前記受信チャネル切替手段は、前記チャネル番号入力受付手段が、前記利用可能チャネルのチャネル番号でないチャネル番号の入力を受け付けた場合に、入力を受け付けたチャネル番号の放送チャネルが利用できない放送チャネルであることを示すメッセージを前記ディスプレイに表示することを特徴とするラジオ放送受信装置。
【請求項６】
オーディオ放送を行う放送チャネルであって、チャネル番号によって識別される放送チャネルを受信するラジオ放送受信装置であって、
ディスプレイと、
受信チャネル番号として設定されたチャネル番号の放送チャネルで行われているオーディオ放送を受信し、受信したオーディオ放送の音声を出力するオーディオ放送受信出力手段と、
第１端と第２端を連結する形状を有する表示オブジェクトであって、当該表示オブジェクト上の各位置が、各チャネル番号に、当該位置が前記第１端からより離れているほどより大きなチャネル番号に対応するように対応づけられた表示オブジェクトを前記ディスプレイに表示し、表示した表示オブジェクト上のユーザによって指定された位置に対応するチャネル番号の入力を受け付けるチャネル番号入力受付手段と、
受信チャネル切替手段とを有し、
当該受信チャネル切替手段は、
前記チャネル番号入力受付手段が、当該ラジオ放送受信装置で利用可能な放送チャネルである利用可能チャネルのチャネル番号の入力を受け付けた場合に、当該チャネル番号を前記受信チャネル番号として設定し、
前記チャネル番号入力受付手段が、前記利用可能チャネルのチャネル番号でないチャネル番号の入力を受け付けた場合に、前記利用可能チャネルのチャネル番号のうちの、前記入力を受け付けたチャネル番号に最も近いチャネル番号を前記受信チャネル番号として設定すると共に、その後所定期間経過する前に、ユーザからの増加方向と減少方向とのうちの一方の方向の指示操作を受け付け、増加方向の指示操作を受け付けた場合には、前記利用可能チャネルのチャネル番号のうちの、当該時点で受信チャネル番号に設定されているチャネル番号超の最小のチャネル番号を前記受信チャネル番号として設定し、減少方向の指示操作を受け付けた場合には、当該ラジオ放送受信装置で利用可能な放送チャネルのチャネル番号のうちの、当該時点で受信チャネル番号に設定されているチャネル番号未満の最大のチャネル番号を前記受信チャネル番号として設定することを特徴とするラジオ放送受信装置。
【請求項７】
請求項６記載のラジオ放送受信装置であって、
前記受信チャネル切替手段は、前記利用可能チャネルのチャネル番号のうちの、前記入力を受け付けたチャネル番号に最も近いチャネル番号を基準チャネル番号として、前記所定期間経過する前に、増加方向の指示操作をｎ（但し、ｎは２以上の整数）回受け付けた場合に、前記基準チャネル番号超の前記利用可能チャネルのチャネル番号のうちの、前記基準チャネル番号にｎ番目に近いチャネル番号を前記受信チャネル番号として設定し、前記所定期間経過する前に、減少方向の指示操作をｎ（但し、ｎは２以上の整数）回受け付けた場合に、基準チャネル番号未満の前記利用可能チャネルのチャネル番号のうちの、基準チャネル番号にｎ番目に近いチャネル番号を前記受信チャネル番号として設定することを特徴とするラジオ放送受信装置。
【請求項８】
請求項６または７記載のラジオ放送受信装置であって、
前記チャネル番号入力受付手段は、前記表示オブジェクト上の、受信チャネルに設定されているチャネル番号に対応する位置にマーカを表示し、
前記受信チャネル切替手段は、前記チャネル番号入力受付手段が、前記利用可能チャネルのチャネル番号でないチャネル番号の入力を受け付けた場合に、前記利用可能チャネルのチャネル番号のうちの、前記入力を受け付けたチャネル番号に最も近いチャネル番号を前記受信チャネル番号として設定すると共に、当該最も近いチャネル番号に対応する位置にマーカを移動すると共に、前記表示オブジェクト上の前記マーカより前記第１端側の位置の指定を前記減少方向の指示操作として受け付け、前記表示オブジェクト上の前記マーカより前記第２端側の位置の指定を前記増加方向の指示操作として受け付けることを特徴とするラジオ放送受信装置。
【請求項９】
請求項６または７記載のラジオ放送受信装置であって、
前記受信チャネル切替手段は、前記チャネル番号入力受付手段が、前記利用可能チャネルのチャネル番号でないチャネル番号の入力を受け付けた場合に、前記利用可能チャネルのチャネル番号のうちの、前記入力を受け付けたチャネル番号に最も近いチャネル番号を前記受信チャネル番号として設定すると共に、前記減少方向の指示操作受付用の第１のボタンと、前記増加方向の指示操作受付用の第２のボタンとを前記ディスプレイに表示し、前記第１のボタンの操作を前記減少方向の指示操作として受け付け、前記第２のボタンの操作を前記増加方向の指示操作として受け付けることを特徴とするラジオ放送受信装置。
【請求項１０】
請求項１、２、３、４、５、６、７、８または９記載のラジオ放送受信装置であって、
前記利用可能チャネルは、個別の利用契約無しに利用できる放送チャネルと、個別の利用契約無しでは利用できない放送チャネルのうちの、当該ラジオ放送受信装置での利用についての個別の利用契約な成されている放送チャネルであることを特徴とするラジオ放送受信装置。
【発明の詳細な説明】
【技術分野】
【０００１】
本発明は、ラジオ受信装置における受信チャネル切替の技術に関するものである。
【背景技術】
【０００２】
ラジオ受信装置における受信チャネル切替の技術としては、周波数の目盛が刻まれたバー状のチューンバーを表示し、表示したチューンバー上のユーザによってタッチされた位置に対応する周波数が、放送を受信可能な周波数チャネルでない場合に、当該周波数周辺の周波数範囲において放送を受信可能な周波数チャネルを探索し、探索した周波数チャネルに受信チャネルを切り替えたり、当該周波数周辺の周波数範囲において放送を受信可能な周波数チャネルの一覧を表示し、表示した一覧上でユーザによって選択された周波数チャネルに受信チャネルを切り替える技術が知られている（たとえば、特許文献１、２）。
【先行技術文献】
【特許文献】
【０００３】
【特許文献１】特開２０１３-  ７０１５０号公報
【特許文献２】特開２０１５-１１５６３５号公報
【発明の概要】
【発明が解決しようとする課題】
【０００４】
上述した周波数の目盛が刻まれたチューンバーを表示する技術に倣い、衛星ラジオ放送などのチャネル番号で放送チャネルが識別されるデジタルラジオ放送を受信するラジオ放送受信装置において、チャネル番号の目盛が刻まれたチューンバーを表示し、表示したチューンバー上のユーザによってタッチされた位置に対応するチャネル番号の放送チャネルに受信チャネルを切り替えることが考えられる。
【０００５】
一方、デジタルラジオ放送には、利用に個別の利用契約が必要な放送チャネル(いわゆる有料チャネルなど）が存在する場合がある。
したがって、チューンバーを用いて受信チャネルとする放送チャネルのチャネル番号の指定を受け付けるようにすると、ユーザが、利用契約していないために利用できない放送チャネルを利用できるものと誤認して、当該放送チャネルのチャネル番号をチューンバーを用いて指定してしまうことが起こりうる。
【０００６】
そして、このような場合には、利用したい他の放送チャネルに受信チャネルを切り替えるための操作を始めからやり直す煩雑な操作が必要となる。
また、このような場合に、利用できない放送チャネルのチャネル番号のユーザの指定を無効化して、受信チャネルを、チャネル番号の指定前の受信チャネルに復帰する動作を行うこととすると、チャネル番号の指定を何度行っても、受信チャネルを切り替えることができないという、ユーザにとって苛立たしい状況が発生してしまう。
【０００７】
そこで、本発明は、ユーザが、利用できない放送チャネルのチャネル番号をチューンバーを用いて指定してしまった後に、受信チャネルを他の利用できる放送チャネルに煩雑さなく切り替えることができるラジオ放送受信装置を提供することを課題とする。
【課題を解決するための手段】
【０００８】
前記課題達成のために、本発明は、オーディオ放送を行う放送チャネルであって、チャネル番号によって識別される放送チャネルを受信するラジオ放送受信装置に、ディスプレイと、受信チャネル番号として設定されたチャネル番号の放送チャネルで行われているオーディオ放送を受信し、受信したオーディオ放送の音声を出力するオーディオ放送受信出力手段と、第１端と第２端を連結する形状を有する表示オブジェクトであって、当該表示オブジェクト上の各位置が、各チャネル番号に、当該位置が前記第１端からより離れているほどより大きなチャネル番号に対応するように対応づけられた表示オブジェクトを前記ディスプレイに表示し、表示した表示オブジェクト上のユーザによって指定された位置に対応するチャネル番号の入力を受け付けるチャネル番号入力受付手段と、受信チャネル切替手段とを設けたものである。ここで、受信チャネル切替手段は、前記チャネル番号入力受付手段が、当該ラジオ放送受信装置で利用可能な放送チャネルである利用可能チャネルのチャネル番号の入力を受け付けた場合に、当該チャネル番号を前記受信チャネル番号として設定し、前記チャネル番号入力受付手段が、前記利用可能チャネルのチャネル番号でないチャネル番号の入力を受け付けた場合に、その後所定期間が経過する前に、ユーザからの増加方向と減少方向とのうちの一方の方向の指示操作を受け付け、増加方向の指示操作を受け付けた場合には、前記利用可能チャネルのチャネル番号のうちの、前記入力を受け付けたチャネル番号超の最小のチャネル番号を前記受信チャネル番号として設定し、減少方向の指示操作を受け付けた場合には、前記利用可能チャネルのチャネル番号のうちの、前記入力を受け付けたチャネル番号未満の最大のチャネル番号を前記受信チャネル番号として設定する。
【０００９】
ここで、このようなラジオ放送受信装置では、前記受信チャネル切替手段において、前記所定期間が経過する前に、増加方向の指示操作をｎ（但し、ｎは２以上の整数）回受け付けた場合に、前記入力を受け付けたチャネル番号超の前記利用可能チャネルのチャネル番号のうちの、前記入力を受け付けたチャネル番号にｎ番目に近いチャネル番号を前記受信チャネル番号として設定し、前記所定期間経過する前に、減少方向の指示操作をｎ（但し、ｎは２以上の整数）回受け付けた場合に、前記入力を受け付けたチャネル番号未満の前記利用可能チャネルのチャネル番号のうちの、前記入力を受け付けたチャネル番号にｎ番目に近いチャネル番号を前記受信チャネル番号として設定するように構成してもよい。
【００１０】
また、このようなラジオ放送受信装置は、前記チャネル番号入力受付手段において、前記表示オブジェクト上の、受信チャネルに設定されているチャネル番号に対応する位置にマーカを表示し、前記受信チャネル切替手段において、前記チャネル番号入力受付手段が、前記利用可能チャネルのチャネル番号でないチャネル番号の入力を受け付けた場合に、前記表示オブジェクト上の、当該入力を受け付けたチャネル番号に対応する位置にマーカを移動すると共に、前記表示オブジェクト上の前記マーカより前記第１端側の位置の指定を前記減少方向の指示操作として受け付け、前記表示オブジェクト上の前記マーカより前記第２端側の位置の指定を前記増加方向の指示操作として受け付けるように構成してもよい。
【００１１】
または、このようなラジオ放送受信装置は、前記受信チャネル切替手段において、前記チャネル番号入力受付手段が、前記利用可能チャネルのチャネル番号でないチャネル番号の入力を受け付けた場合に、前記減少方向の指示操作受付用の第１のボタンと、前記増加方向の指示操作受付用の第２のボタンとを前記ディスプレイに表示し、前記第１のボタンの操作を前記減少方向の指示操作として受け付け、前記第２のボタンの操作を前記増加方向の指示操作として受け付けるように構成してもよい。
【００１２】
また、以上のラジオ放送受信装置は、前記受信チャネル切替手段において、前記チャネル番号入力受付手段が、前記利用可能チャネルのチャネル番号でないチャネル番号の入力を受け付けた場合に、入力を受け付けたチャネル番号の放送チャネルが利用できない放送チャネルであることを示すメッセージを前記ディスプレイに表示するように構成してもよい。
【００１３】
また、本発明は、前記課題達成のために、オーディオ放送を行う放送チャネルであって、チャネル番号によって識別される放送チャネルを受信するラジオ放送受信装置に、ディスプレイと、受信チャネル番号として設定されたチャネル番号の放送チャネルで行われているオーディオ放送を受信し、受信したオーディオ放送の音声を出力するオーディオ放送受信出力手段と、第１端と第２端を連結する形状を有する表示オブジェクトであって、当該表示オブジェクト上の各位置が、各チャネル番号に、当該位置が前記第１端からより離れているほどより大きなチャネル番号に対応するように対応づけられた表示オブジェクトを前記ディスプレイに表示し、表示した表示オブジェクト上のユーザによって指定された位置に対応するチャネル番号の入力を受け付けるチャネル番号入力受付手段と、受信チャネル切替手段と設けたものである。ここで、受信チャネル切替手段は、前記チャネル番号入力受付手段が、当該ラジオ放送受信装置で利用可能な放送チャネルである利用可能チャネルのチャネル番号の入力を受け付けた場合に、当該チャネル番号を前記受信チャネル番号として設定し、前記チャネル番号入力受付手段が、前記利用可能チャネルのチャネル番号でないチャネル番号の入力を受け付けた場合に、前記利用可能チャネルのチャネル番号のうちの、前記入力を受け付けたチャネル番号に最も近いチャネル番号を前記受信チャネル番号として設定すると共に、その後所定期間経過する前に、ユーザからの増加方向と減少方向とのうちの一方の方向の指示操作を受け付け、増加方向の指示操作を受け付けた場合には、前記利用可能チャネルのチャネル番号のうちの、当該時点で受信チャネル番号に設定されているチャネル番号超の最小のチャネル番号を前記受信チャネル番号として設定し、減少方向の指示操作を受け付けた場合には、当該ラジオ放送受信装置で利用可能な放送チャネルのチャネル番号のうちの、当該時点で受信チャネル番号に設定されているチャネル番号未満の最大のチャネル番号を前記受信チャネル番号として設定する。
【００１４】
ここで、このようなラジオ放送受信装置は、前記受信チャネル切替手段において、前記利用可能チャネルのチャネル番号のうちの、前記入力を受け付けたチャネル番号に最も近いチャネル番号を基準チャネル番号として、前記所定期間経過する前に、増加方向の指示操作をｎ（但し、ｎは２以上の整数）回受け付けた場合に、前記基準チャネル番号超の前記利用可能チャネルのチャネル番号のうちの、前記基準チャネル番号にｎ番目に近いチャネル番号を前記受信チャネル番号として設定し、前記所定期間経過する前に、減少方向の指示操作をｎ（但し、ｎは２以上の整数）回受け付けた場合に、基準チャネル番号未満の前記利用可能チャネルのチャネル番号のうちの、基準チャネル番号にｎ番目に近いチャネル番号を前記受信チャネル番号として設定するように構成してもよい。
【００１５】
また、このようなラジオ放送受信装置は、前記チャネル番号入力受付手段において、前記表示オブジェクト上の、受信チャネルに設定されているチャネル番号に対応する位置にマーカを表示し、前記受信チャネル切替手段において、前記チャネル番号入力受付手段が、前記利用可能チャネルのチャネル番号でないチャネル番号の入力を受け付けた場合に、前記利用可能チャネルのチャネル番号のうちの、前記入力を受け付けたチャネル番号に最も近いチャネル番号を前記受信チャネル番号として設定すると共に、当該最も近いチャネル番号に対応する位置にマーカを移動すると共に、前記表示オブジェクト上の前記マーカより前記第１端側の位置の指定を前記減少方向の指示操作として受け付け、前記表示オブジェクト上の前記マーカより前記第２端側の位置の指定を前記増加方向の指示操作として受け付けるように構成してもよい。
【００１６】
または、このようなラジオ放送受信装置は、前記受信チャネル切替手段において、前記チャネル番号入力受付手段が、前記利用可能チャネルのチャネル番号でないチャネル番号の入力を受け付けた場合に、前記利用可能チャネルのチャネル番号のうちの、前記入力を受け付けたチャネル番号に最も近いチャネル番号を前記受信チャネル番号として設定すると共に、前記減少方向の指示操作受付用の第１のボタンと、前記増加方向の指示操作受付用の第２のボタンとを前記ディスプレイに表示し、前記第１のボタンの操作を前記減少方向の指示操作として受け付け、前記第２のボタンの操作を前記増加方向の指示操作として受け付けるように構成してもよい。
【００１７】
ここで、以上のラジオ放送受信装置において、前記利用可能チャネルは、具体的には、たとえば、個別の利用契約無しに利用できる放送チャネルと、個別の利用契約無しでは利用できない放送チャネルのうちの、当該ラジオ放送受信装置での利用についての個別の利用契約な成されている放送チャネルである。
【００１８】
以上のように本発明によれば、第１端と第２端を連結する形状を有する表示オブジェクトであって、当該表示オブジェクト上の各位置が、各チャネル番号に、当該位置が前記第１端からより離れているほどより大きなチャネル番号に対応するように対応づけられた表示オブジェクトを前記ディスプレイに表示し、表示した表示オブジェクト上のユーザによって指定された位置に対応するチャネル番号の入力を受け付けるラジオ受信装置において、ユーザは、当該ラジオ放送受信装置で利用できない放送チャネルのチャネル番号を入力してまった場合でも、その後に、増加方向の指示操作や減少方向の指示操作を行うだけの簡易な操作で、受信チャネルを他の利用できる放送チャネルに切り替えることができる。また、チャネル番号の指定を何度行っても、受信チャネルを切り替えることができないという、ユーザにとって苛立たしい状況の発生も抑制することができる。
【発明の効果】
【００１９】
以上のように、本発明によれば、ユーザが、利用できない放送チャネルのチャネル番号をチューンバーを用いて指定してまった後に、受信チャネルを他の利用できる放送チャネルに煩雑さなく切り替えることができるラジオ放送受信装置を提供することができる。
【図面の簡単な説明】
【００２０】
【図１】本発明の実施形態に係るラジオ放送受信装置の構成を示す図である。
【図２】本発明の実施形態に係るラジオ放送受信装置の表示及び動作の一例を示す図である。
【図３】本発明の実施形態に係る受信チャネル切替処理を示すフローチャートである。
【図４】本発明の実施形態に係るラジオ放送受信装置の表示及び動作の一例を示す図である。
【図５】本発明の実施形態に係るラジオ放送受信装置の他の表示及び動作の一例を示す図である。
【図６】本発明の実施形態に係るラジオ放送受信装置の他の表示例を示す図である。
【発明を実施するための形態】
【００２１】
以下、本発明の実施形態について、自動車に搭載されるラジオ放送受信装置への適用を例にとり説明する。
図１に、本実施形態に係るラジオ放送受信装置の構成を示す。
図示するように、ラジオ放送受信装置は、デジタル衛星ラジオ放送などのデジタルラジオ放送を受信するラジオチューナ１、ラジオチューナ１が受信したデジタルラジオ放送の音声を出力するスピーカ２、ディスプレイ３、ディスプレイ３の表示面上に配置されたタッチパネル４、以上の各部を制御する制御部５、利用可能チャネルテーブル６とを備えている。
【００２２】
ここで、ラジオチューナ１が受信するデジタルラジオ放送は、各々チャネル番号で識別される複数の放送チャネルでオーディオ放送を行っており、複数の放送チャネルには、個別の利用契約なく利用できる放送チャネルと、利用に個別の利用契約が必要な放送チャネル(いわゆる有料チャネルなど）が含まれる。
【００２３】
ここで、以下では、デジタルラジオ放送の放送チャネルのうち、個別の利用契約なく利用できる放送チャネルと、利用に個別の利用契約が必要な放送チャネルのうちの当該ラジオ放送受信装置における利用についての利用契約が結ばれている放送チャネルとを「利用可能チャネル」と称して説明を行う。
【００２４】
さて、ラジオチューナ１は、制御部５から設定されたカレントチャネルが、利用可能チャネルである場合に、カレントチャネルとして設定された利用可能チャネルで行われているオーディオ放送を受信し、オーディオ放送の音声をスピーカ２に出力する。
【００２５】
次に、利用可能チャネルテーブル６には、利用可能チャネルである各放送チャネルのチャネル番号が登録されている。
そして、制御部５は、ユーザから、カレントチャネルの切り替えを、ディスプレイ３に表示した図２ａに示すＵＩ画面上で、切り替え後のカレントチャネルとする放送チャネルのチャネル番号を受け付けることにより行う。
【００２６】
ここで、図２ａに示すように、ＵＩ画面は、受信中の放送チャネルであるカレントチャネルのチャネル番号とカレントチャネルでオーディオ放送を行っているステーションのステーション名の表示を含むステーション情報２１と、チューンバー２２の表示とを含む。
【００２７】
チューンバー２２は、左右に長い帯状の表示オブジェクトであるバー２２１と、バー２２１の上をユーザ操作等に応じて左右に移動するマーカ２２２とを含む。また、バー２２１上の各位置はチャネル番号に、左から右に向かって順次対応するチャネル番号が大きくなるように対応づけられており、バー２２１の両端の位置、及び、バー２２１を左右方向に等間隔にｎ個に分割したときの各分割点となる位置の上には、その位置に対応づけられているチャネル番号が表示されている。なお、図では、一例として、チャネル番号が、000から999までのチャネル番号である場合について示している。
【００２８】
以下、制御部５が、以上のようなチューンバー２２のユーザ操作に応じて、ラジオチューナ１において受信する放送チャネルであるカレントチャネルを切り替えるために行う受信チャネル切替処理について説明する。
【００２９】
図３に、この受信チャネル切替処理の手順を示す。
図示するように、制御部５は、受信チャネル切替処理において、ユーザのチューンバー２２上へのタッチの発生を監視する（ステップ３０２）。なお、チューンバー２２へのタッチは、タッチパネル４を用いて検出する。
【００３０】
そして、チューンバー２２上へのタッチが発生したならば（ステップ３０２）、ラジオチューナ１にスピーカ２への音声出力をミュートさせる（ステップ３０４）。
また、タッチされたバー２２１上の位置に対応するチャネル番号を指定チャネル番号として算定し（ステップ３０６）、指定チャネル番号に対応するバー２２１上の位置にマーカ２２２の表示位置を移動する（ステップ３０８）
そして、指定チャネル番号が、利用可能チャネルテーブル６に利用可能チャネルのチャネル番号として登録されているかどうかを調べる（ステップ３１０）。
【００３１】
そして、指定チャネル番号が、利用可能チャネルテーブル６に利用可能チャネルのチャネル番号として登録されていれば（ステップ３１０）、指定チャネル番号をチャネル番号として持つ放送チャネルにカレントチャネルを切り替えて、ラジオチューナ１に切り替え後のカレントチャネルの受信を開始させ（ステップ３１２）、ディスプレイ３に表示しているＵＩ画面のステーション情報２１を、切り替え後のカレントチャネルのチャネル番号とステーション名の表示に更新する（ステップ３１４）。
【００３２】
そして、ラジオチューナ１のスピーカ２への音声出力のミュートを解除し（ステップ３１６）、ステップ３０２からの処理に戻る。
一方、指定チャネル番号が、利用可能チャネルテーブル６に利用可能チャネルのチャネル番号として登録されていない場合には（ステップ３１０）、ディスプレイ３に表示しているＵＩ画面のステーション情報２１を用いて、指定チャネル番号の放送チャネルが利用不可であることを示す表示を行う（ステップ３１８）。ここで、この利用不可であることを示す表示は、たとえば、図２ｂに示すように、ステーション情報２１として、指定チャネル番号の表示と、放送チャネルが利用できないことを示すメッセージを表示することにより行う。
【００３３】
図３に戻り、制御部５は、次に、所定のタイムアウト時間（たとえば、１秒）を設定したタイマをスタートし（ステップ３２０）、方向指示操作の発生（ステップ３２２）と、タイマのタイムアウトの発生（ステップ３２４）を監視する。
【００３４】
ここで、方向指示操作は、バー２２１のタッチによって受け付ける。すなわち、図２ｃに示すように、バー２２１上のマーカ２２２より左の位置をユーザがタッチした場合には、減少方向を指示方向とする方向指示操作を受け付け、バー２２１上のマーカ２２２より右の位置をユーザがタッチした場合には、増加方向を指示方向とする方向指示操作を受け付ける。なお、この際のタッチ操作としては、フリック操作を受け付けるようにしてもよい。
【００３５】
そした、方向指示操作を受け付けた場合には、（ステップ３２２）、利用可能チャネルテーブル６に登録された利用可能チャネルのチャネル番号の内の、指定チャネル番号に指示方向に最寄りのチャネル番号の利用可能チャネルにカレントチャネルを切り替えて、ラジオチューナ１に切り替え後のカレントチャネルの受信を開始させる（ステップ３３０）。
【００３６】
すなわち、ステップ３３０では、方向指示操作の指示方向が減少方向である場合には、利用可能チャネルテーブル６に登録された利用可能チャネルのチャネル番号の内の、指定チャネル番号未満の最大のチャネル番号の利用可能チャネルにカレントチャネルを切り替え、方向指示操作の指示方向が増加方向である場合には、利用可能チャネルテーブル６に登録された利用可能チャネルのチャネル番号の内の、指定チャネル番号超の最小のチャネル番号の利用可能チャネルにカレントチャネルを切り替える。
【００３７】
そして、切り替え後のカレントチャネルのチャネル番号に対応するバー２２１上の位置にマーカ２２２の表示位置を移動する（ステップ３３２）。
また、ディスプレイ３に表示しているＵＩ画面のステーション情報２１を、切り替え後のカレントチャネルのチャネル番号とステーション名の表示に更新し（ステップ３３４）、ラジオチューナ１のスピーカ２への音声出力がミュートされていれば、ミュートを解除する（ステップ３３６）。
【００３８】
そして、切り替え後のカレントチャネルのチャネル番号に指定チャネル番号を更新し（ステップ３３８）、ステップ３２２とステップ３２４の監視に戻る。
但し、切り替え後のカレントチャネルのチャネル番号に指定チャネル番号を更新したならば（ステップ３３８）、ステップ３２０に戻ってタイマを再スタートして、タイムアウトまでの時間を延長するようにしてもよい。
【００３９】
または、切り替え後のカレントチャネルのチャネル番号に指定チャネル番号を更新したならば（ステップ３３８）、ステップ３０２からの処理に戻るようにしてもよい。
一方、タイマのタイムアウトが発生した場合には、（ステップ３２４）、その時点の指定チャネル番号が、カレントチャネルのチャネル番号と一致しているかどうかを調べ（ステップ３２６)、一致している場合にはステップ３０２からの処理に戻る。
【００４０】
一方、指定チャネル番号が、カレントチャネルのチャネル番号と一致していない場合には（ステップ３２６）、ステップ３２４のタイムアウト発生までに方向指示操作が発生せず、カレントチャネルがステップ３０２でタッチを検出する前のカレントチャネルに維持されていることを表しているので、カレントチャネルのチャネル番号に対応するバー２２１上の位置にマーカ２２２の表示位置を復帰し（ステップ３２８）、ディスプレイ３に表示しているＵＩ画面のステーション情報２１を、カレントチャネルのチャネル番号とステーション名の表示に更新し（ステップ３１４）、ラジオチューナ１のスピーカ２への音声出力のミュートを解除する（ステップ３１６）ことにより、ステップ３０２でタッチを検出する前の状態に復帰した上で、ステップ３０２からの処理に戻る。
【００４１】
以上、制御部５が行う受信チャネル切替処理について説明した。
以下、このような受信チャネル切替処理の処理例を示す。
いま、図２ａに示すように"CH 480  AAAA RADIO"を受信しているときに、図２ｂに示すように、利用可能チャネルのチャネル番号でないチャネル番号"CH 610"に対応するチューンバー２２上の位置にタッチすると、音声出力がミュートされ、タッチされた位置にマーカ２２２が移動すると共に、ステーション情報２１により、そのチャネル番号の放送チャネルが利用できない放送チャネルであることがユーザに通知される。
【００４２】
そして、その後、所定期間(タイマのタイムアウト時間）が経過する前に、図２ｃに示すように、ユーザがマーカ２２２より左のバー２２１上の位置をタッチすると、図２ｄに示すように、マーカ２２２の位置に対応するチャネル番号"CH 610"未満のチャネル番号を持つ利用可能チャネルのうちの最大のチャネル番号"CH 600"の利用可能チャネルの受信と音声の出力が開始され、マーカ２２２の位置が"CH 600"に対応する位置に移動すると共に、ステーション情報２１の表示が"CH 600"のステーション情報２１"CH 600  BBBB RADIO"に更新される。
【００４３】
そして、その後、所定期間(タイマのタイムアウト時間）が経過する前に、図２ｅに示すように、再び、ユーザがマーカ２２２より左のバー２２１上の位置をタッチすると、図２ｆに示すように、マーカ２２２の位置に対応するチャネル番号"CH 600"未満のチャネル番号を持つ利用可能チャネルのうちの最大のチャネル番号"CH 580"の利用可能チャネルの受信と音声の出力が開始され、マーカ２２２の位置が"CH 580"に対応する位置に移動すると共に、ステーション情報２１の表示が"CH 580"のステーション情報２１"CH 580  CCCC RADIO"に更新される。
【００４４】
以上、本発明の実施形態について説明した。
ところで、以上の実施形態では、増加方向の方向指示操作をバー２２１上のマーカ２２２より右側のタッチにより、減少方向の方向指示操作をバー２２１上のマーカ２２２より左側のタッチにより受け付けるようにしたが、これらの方向指示操作は、他の形態により受け付けるようにしてもよい
たとえば、図４ｃに示すようにUI画面に減少キー４０１と増加キー４０２を表示し、減少キー４０１の操作により減少方向の方向指示操作を、増加キー４０２の操作により増加方向の方向指示操作を受け付けるようにしてもよい。
【００４５】
すなわち、この場合には、図４ａに示すように"CH 480  AAAA RADIO"を受信しているときに、図４ｂに示すように、利用可能チャネルのチャネル番号でないチャネル番号"CH 610"に対応するチューンバー２２上の位置にタッチしたならば、図４ｃに示すようにUI画面に減少キー４０１と増加キー４０２を表示し、図４ｄに示すように、減少キー４０１の操作により減少方向の方向指示操作を受け付ける。また、増加キー４０２が操作された場合には、増加方向の方向指示操作を受け付ける。
【００４６】
なお、減少キー４０１と増加キー４０２の表示は受信チャネル切替処理のステップ３２４でタイムアウトの発生を検知したならば消去する。ただし、減少キー４０１と増加キー４０２の表示は消去しないようにしてもよいし、減少キー４０１と増加キー４０２を常時表示するようにしてもよい。
また、以上の実施形態における受信チャネル切替処理のステップ３３０は、ステップ３２２で方向指示操作に続いて、連続的に方向指示操作が発生するかどうかを監視し、連続的にn回の方向指示操作を受け付けた場合には、利用可能チャネルテーブル６に登録された利用可能チャネルのチャネル番号の内の、指定チャネル番号に指示方向にｎ番目に近いチャネル番号の利用可能チャネルにカレントチャネルを切り替えて、ラジオチューナ１に切り替え後のカレントチャネルの受信を開始させる処理としてもよい。
【００４７】
また、以上の実施形態における受信チャネル切替処理のステップ３１８は、指定チャネル番号の放送チャネルが利用不可であることを示す表示を行う代わりに、以下の処理を行うものとしてもよい。
【００４８】
すなわち、ステップ３１８において、利用可能チャネルテーブル６に登録された利用可能チャネルのチャネル番号の内の、指定チャネル番号に最寄りのチャネル番号の利用可能チャネルにカレントチャネルを切り替えて、ラジオチューナ１に切り替え後のカレントチャネルの受信を開始させ、切り替え後のカレントチャネルのチャネル番号に対応するバー２２１上の位置にマーカ２２２の表示位置を移動し、ディスプレイ３に表示しているＵＩ画面のステーション情報２１を、切り替え後のカレントチャネルのチャネル番号とステーション名の表示に更新し、ラジオチューナ１のスピーカ２への音声出力のミュートを解除し、切り替え後のカレントチャネルのチャネル番号に指定チャネル番号を更新するようにしても良い。
【００４９】
このようにすることにより、図５ａに示すように、"CH 480  AAAA RADIO"を受信しているときに、図５ｂに示すように、利用可能チャネルのチャネル番号でないチャネル番号"CH 610"に対応するチューンバー２２上の位置にタッチした時点で、図５ｃに示すように、タッチされたチャネル番号"CH 610"に最寄りのチャネル番号"CH 600"を持つ利用可能チャネルの受信と音声出力を開始できるようになる。
【００５０】
なお、図５ｃのようにチャネル番号"CH 600"を持つ利用可能チャネルの受信と音声出力を開始した後は、タイムアウトが発生するまで、方向指示操作に応じて、上述のように、カレントチャネルを、当該カレントチャネルのチャネル番号に指示方向に最寄りのチャネル番号を持つ利用可能チャネルに切り替えていく。
【００５１】
また、以上の実施形態では、チューンバー２２を左右方向に延びるバー２２１を備えたものとしたが、チューンバー２２のバー２２１が延びる方向は任意であってよく、チューンバー２２を、図６ａに示すようにバー２２１が縦方向に延びるチューンバー２２としたり、図６ｂに示すようにバー２２１が円弧に沿って伸びるチューンバー２２としてもよい。
【符号の説明】
【００５２】
１…ラジオチューナ、２…スピーカ、３…ディスプレイ、４…タッチパネル、５…制御部、６…利用可能チャネルテーブル、２１…ステーション情報、２２…チューンバー、２２１…バー、２２２…マーカ、４０１…減少キー、４０２…増加キー。
【図１】
2019087930.tif 000003
【図２】
2019087930.tif 000004
【図３】
2019087930.tif 000005
【図４】
2019087930.tif 000006
【図５】
2019087930.tif 000007
【図６】
2019087930.tif 000008